(57)【要約】【課題】機能性のみならず、装飾性を高めたねじを提供する。【解決手段】雄ねじ１０のフランジ１２と一体的に緊締部１４が形成され、この緊締部１４には凹部１６が形成される。そして、模様２０が施された装飾部１８を凹部１６に取り付けることにより、雄ねじ１０に装飾が付与される。【選択図】図１
2008121733.tif 000002
【特許請求の範囲】
【請求項１】
頭部に凹部が形成され、該凹部に装飾部が取り付けられていることを特徴とするねじ。
【請求項２】
請求項１記載のねじにおいて、
前記装飾部は前記凹部に対し、着脱自在に取り付けられていることを特徴とするねじ。
【請求項３】
請求項１又は２記載のねじにおいて、
前記凹部はねじの頭部にあって緊締具が係合する部位を除いた部分に形成されていることを特徴とするねじ。
【発明の詳細な説明】
【技術分野】
【０００１】
本発明は、ねじに関し、特にスパナ、ドライバーやレンチ等によって回転させて物品を固定したり、位置決めしたりすることが可能なねじに関する。
【背景技術】
【０００２】
通常、ねじ、例えば、雄ねじや雌ねじは、相互に螺合して物品を固定したり、あるいは位置決めしたりする。この場合、ねじは極めて機能的に構成されており、「締める」、「弛める」の２つの機能を達成するためにのみに用いられていることから、ねじのサイズ等を表示する部位があるにせよ、製品として何ら装飾が施されているものではない。その結果、機能面では十分な効果が得られるものの、例えば、製品紹介のパネルやタイルを直接固定しようとすると、かえってその固定部分が違和感を呈することになり、所望の効果を発揮させることが困難となる。
【０００３】
一方、ねじを使わないでパネル等を固定しようとすると接着剤を使用するようになり、状況に応じてこの種のパネルやタイルを取り外そうとすることができなくなる。
【０００４】
この観点から特許文献１は、ねじ本体に凹部を設け、この凹部に彩色を有する熱硬化性樹脂を注入した装飾ねじを提案している。
【０００５】
【特許文献１】実開昭５５−８６１１１号公報
【発明の開示】
【発明が解決しようとする課題】
【０００６】
しかしながら、この装飾ねじによれば単にエポキシ樹脂等からなる熱硬化性樹脂を注入しただけであり、必ずしもパネルやタイル等の被固定物と対応させる装飾とはなり得ない。
【０００７】
本発明は、前記の不都合に着目してなされたものであり、パネル、タイル等を容易に固定し、ねじそのものの装飾性によって観者に対して違和感なく十分に対応可能なねじを提供することを目的とする。
【課題を解決するための手段】
【０００８】
本発明に係るねじは、頭部に凹部が形成され、該凹部に装飾部が取り付けられていることを特徴とする。
【０００９】
さらに、前記装飾部は前記凹部に対し、着脱自在に取り付けられていることを特徴とする。
【００１０】
さらにまた、前記凹部はねじの頭部にあって緊締具が係合する部位を除いた部分に形成されていることを特徴とする。
【発明の効果】
【００１１】
本発明によれば、雄ねじや雌ねじの頭部に凹部が形成され、該凹部に装飾部が取り付けられている。このため、該装飾部の装飾意匠を選択することによって、被固定物にマッチングしたねじを容易に構成することができる。
【発明を実施するための最良の形態】
【００１２】
以下、本発明に係るねじについて、好適な実施の形態を掲げ、添付の図面を参照しながら、詳細に説明する。
【００１３】
図１Ａは、本発明の第１の実施形態に係るねじである雄ねじ１０の平面図であり、図１Ｂは、図１Ａに示す雄ねじ１０の半断面正面図である。
【００１４】
本第１の実施形態に係る雄ねじ１０は、例えば、図示しないパネルやタイルの四隅に形成された孔部に挿入され、図示しない雌ねじに螺合して、該パネルやタイル等を固定するために用いられる。
【００１５】
この雄ねじ１０は、ねじ部１１と、フランジ１２と、緊締部１４とからなる。本第１の実施形態の場合、緊締部１４はドーム形状で頂部（頂面）が平面状に形成されると共に、曲面状に形成された側面には、円弧状の切欠部１４ａ〜１４ｃが等間隔に３個形成されている。雄ねじ１０では、これら切欠部１４ａ〜１４ｃに係合する図示しない特殊レンチ等を係合させて雌ねじに対して螺回すれば、該雄ねじ１０と雌ねじとの間に介装されたパネルやタイル等を固定することができる。
【００１６】
さらに、本第１の実施形態の場合、雄ねじ１０の緊締部１４の頂部には、円形状の凹部１６が形成され、該凹部１６には、頂部が多少膨らんだ円板状の装飾部１８が埋設されている。装飾部１８としては、例えば、雄ねじ１０により固定されるパネルの説明文や写真等に対応した模様２０が頂部に施されたものを選択し、該装飾部１８を前記凹部１６に嵌め込み（圧入し）、固定すればよい。この場合、装飾部１８の外径は、凹部１６の内径に嵌合可能な大きさに構成しておく。そうすると、前記パネル等が、その模様と全く違和感のない外観からなる雄ねじ１０で固定されるために、展示品の観者に対するアピール度が向上する。
【００１７】
また、雄ねじ１０では、前記装飾部１８を凹部１６に嵌め込むだけで該雄ねじ１０に装飾を付与することができ、装飾部１８は凹部１６に対して着脱自在である。この場合、装飾部１８が取り付けられていない状態の雄ねじ１０は、装飾のない通常の雄ねじと同様に構成され、量産が容易で生産性も高い。
【００１８】
つまり、雄ねじ１０は、使用されるパネル等に応じた各種模様２０を有する装飾部１８を予め用意し、凹部１６に固定すれば、締結対象に最適な模様２０を有する雄ねじ１０を簡単に、しかも低コストで構成することができる。さらに、前記装飾部１８は、締結対象に応じて適宜交換することもできるため、汎用性が高い。
【００１９】
図２Ａは、本発明の第２の実施形態に係るねじである雌ねじ３０の平面図であり、図２Ｂは、図２Ａに示す雌ねじ３０の半断面正面図である。なお、図２Ａ及び図２Ｂにおいて、図１Ａ及び図１Ｂと同一の構成要素に関しては、同一の参照符号を付し、詳細な説明を省略し、以下同様とする。
【００２０】
本第２の実施形態に係る雌ねじ３０は、例えば、図示しない雄ねじと螺合し、図示しないパネルやタイル等を固定するために用いられる。
【００２１】
この雌ねじ３０は、軸方向に貫通したねじ部３２を有する。そして、該ねじ部３２の上端側開口部は、模様２０が施された装飾部１８が埋設される円形状の凹部３４に連通している。
【００２２】
従って、雌ねじ３０では、凹部３４に装飾部１８を埋設すると、ねじ部３２の上端側開口部が該装飾部１８により蓋され、目隠される。従って、前記パネル等を、その模様と全く違和感のない外観からなる雌ねじ３０で固定することができ、展示品の観者に対するアピール度が向上する。
【００２３】
また、雌ねじ３０においても、雄ねじ１０と同様に、前記装飾部１８は凹部３４に対して着脱自在であるため、各種模様２０が描かれた装飾部１８を雌ねじ３０が使用されるパネル等に応じて適宜選択し、交換することもできる。しかも、雄ねじ１０と同様に、量産性が高く、締結対象に最適な模様２０を有する雌ねじ３０を簡単に構成することができる。
【００２４】
さらに、雌ねじ３０では、例えば、前記雄ねじ１０と共に用いると、前記パネル等を固定するねじを全て装飾が施されたねじ（雄ねじ１０及び雌ねじ３０）で構成することができ、観者に対するアピール度を一層向上させることができる。
【００２５】
図３Ａは、本発明の第３の実施形態に係るねじである雄ねじ５０の平面図であり、図３Ｂは、図３Ａに示す雄ねじ５０の実施態様での半断面正面図である。
【００２６】
本第３の実施形態に係る雄ねじ５０では、緊締部５２が、前記緊締部１４を上下反転させた形状であり、すなわち、緊締部５２がドーム形状を上下反転させた形状となっている。該緊締部５２において、曲面状に形成された側面には、円弧状の切欠部５２ａ〜５２ｃが等間隔に３個形成されている。
【００２７】
図３Ｂに示すように、雄ねじ５０では、例えば、雌ねじ５４と共に締結対象の一例としてのパネル５６を締結する場合に、該パネル５６に雄ねじ５０の頭部である緊締部５２が埋没可能な形状からなる凹部５６ａを形成しておくと、装飾部１８の頂部（頂面）、すなわち、模様２０を該パネル５６と略面一に構成することができる。
【００２８】
このように、雄ねじ５０では、頭部である緊締部５２をパネル５６の表面から突出させず、しかも模様２０を該パネル５６と略面一にすることができる。このため、展示品の観者に対するアピール度を一層向上させることができる。
【００２９】
また、雄ねじ５０においても、雄ねじ１０と同様に、前記装飾部１８は凹部１６に対して着脱自在であるため、各種模様２０が描かれた装飾部１８を雄ねじ５０が使用されるパネル等に応じて適宜選択し、交換することもできる。しかも、雄ねじ１０と同様に、量産性が高く、締結対象に最適な模様２０を有する雄ねじ５０を簡単に構成することができる。
【００３０】
以上のように、上記各実施形態に係るねじである雄ねじ１０、５０及び雌ねじ３０は、パネルやタイル等を固定するために好適であるとして説明したが、これに限らず、ねじが使用され且つ美観が必要とされる締結対象であれば当然使用することができる。例えば、本発明に係るねじを自動車のホイール固定用として用いれば、車名等をホイールボルト（ナット）に付与することができるため、観者に対するアピール度が一層向上する。
【００３１】
また、雄ねじ１０、５０及び雌ねじ３０は、例えば、装飾部１８の交換を頻繁に行わない場合、凹部１６、３４に対して装飾部１８を接着剤等により一層確実に固定することもできる。
【００３２】
なお、本発明は上記実施形態に限らず、本発明の要旨を逸脱することなく、種々の構成を採り得ることは当然可能である。
【図面の簡単な説明】
【００３３】
【図１】図１Ａは、本発明の第１の実施形態に係るねじである雄ねじの平面図であり、図１Ｂは、図１Ａに示す雄ねじの半断面正面図である。
【図２】図２Ａは、本発明の第２の実施形態に係るねじである雌ねじの平面図であり、図２Ｂは、図２Ａに示す雌ねじの半断面正面図である。
【図３】図３Ａは、本発明の第３の実施形態に係るねじである雄ねじの平面図であり、図３Ｂは、図３Ａに示す雄ねじの実施態様での半断面正面図である。
【符号の説明】
【００３４】
１０、５０…雄ねじ                      １１、３２…ねじ部
１２…フランジ                          １４、５２…緊締部
１４ａ〜１４ｃ、５２ａ〜５２ｃ…切欠部  １６、３４、５６ａ…凹部
１８…装飾部                            ２０…模様
３０、５４…雌ねじ
【図１】
2008121733.tif 000003
【図２】
2008121733.tif 000004
【図３】
2008121733.tif 000005